(57)【特許請求の範囲】
【請求項１】
エレベータの乗場またはかごに設置され、赤外線リモコンを使用して各種の調整および設定が行われるエレベータの操作表示機器において、
前記赤外線リモコンからのリモコン信号を受信する赤外線受信部と、
前記赤外線受信部からの受信信号のレベルを判定する受信レベル判定部と、
前記赤外線受信部からの受信信号をディジタル信号に変換し、前記ディジタル信号が前記赤外線リモコンのデータフォーマットと一致した場合に、前記ディジタル信号を出力するリモコンフォーマット解析部と、
前記受信レベル判定部からのレベル判定値と、前記リモコンフォーマット解析部からのディジタル信号と、あらかじめ内部に記憶された登録コードとから、前記ディジタル信号の整合性を判定して判定結果を出力する信号判定部と、
エレベータ制御部からのエレベータ情報と、前記信号判定部からの判定結果とから表示画面を作成する表示制御部と、
前記表示制御部で作成された表示画面を表示する表示部と、
を備え、
前記信号判定部は、
前記ディジタル信号内のカスタムコードおよびデータコードを、あらかじめ登録された正常コードと比較して、正常コードと一致するか否かを判定し、
前記カスタムコードが正常で、前記データコードが異常と判定された場合には、前記赤外線リモコンを前記赤外線受信部に近付けるためのメッセージの表示信号を生成することを特徴とするエレベータの操作表示機器。
【請求項２】
前記信号判定部は、
前記レベル判定値および前記ディジタル信号がともに正常であると判定された場合には、前記ディジタル信号に基づく正規の調整および設定を行い、
前記レベル判定値および前記ディジタル信号がともに異常であると判定された場合には、前記表示制御部に対する表示信号を生成せず、
前記レベル判定値が正常であって、前記ディジタル信号が異常であると判定された場合には、前記赤外線リモコンが異機種であることを示すメッセージの表示信号を生成し、
前記レベル判定値が異常で、前記ディジタル信号が正常であると判定された場合には、前記赤外線リモコンを前記赤外線受信部に近付けるか、または前記赤外線リモコン内の電池交換を促すためのメッセージの表示信号を生成することを特徴とする請求項１に記載のエレベータの操作表示機器。
【発明の詳細な説明】
【技術分野】
【０００１】
この発明は、エレベータの操作表示機器に関し、特に正常時の設定操作と異常時の表示とを効果的に行うための新規な技術に関するものである。
【背景技術】
【０００２】
従来から、乗場またはかごに設置されたエレベータの操作表示機器は、よく知られており、一般乗客とは異なるオペレータが外部から赤外線リモートコントロール（以下、「赤外線リモコン」、または、単に「リモコン」と略称する）を使用して、エレベータの操作表示機器に対して各種の調整や設定を行い、設定状態などを表示するように構成されている。
【０００３】
この種のエレベータの操作表示機器において、赤外線リモコンを用いて各種の調整および設定を行う際に、リモコンのオペレータは、エレベータ内で良好に操作できる操作範囲や、リモコンの最適角度および最適距離を事前に知ることができない。
したがって、オペレータのエレベータ内での操作位置や、赤外線受信部（受光部）に対するリモコンの角度および距離によっては、操作表示機器が良好にリモコン信号を受信できずに、赤外線リモコンによるスムーズな操作ができない場合が起こり得る。
【０００４】
そこで、リモコン信号の受信不具合状態を表示するエレベータの操作表示機器も提案されている（たとえば、特許文献１参照）。
上記特許文献１には、リモコン信号が正常に受信されなかったと判定された場合には不具合の発生を示す信号判定解析部と、信号判定解析部が不具合の発生を示すときには不具合の発生を表示装置に表示する不具合表示部とを備え、信号判定解析部は、ヘッダを示すパルスの幅、カスタムコードとデータコードとにおけるパルスの幅を、基準値と比較することにより不具合原因を特定し、その特定内容を不具合表示部に表示する技術が開示されている。
【０００５】
これにより、リモコン信号を正常に受信できない場合、リモコン内の電池電圧低下、リモコンの向きのずれ、ノイズ過多、の３つの不具合原因のいずれかが表示されるので、受信不具合の解消を手助けすることが可能となる。
しかしながら、特許文献１では、パルス幅の比較により上記３種類の異常原因を検出しているものの、リモコンからの距離が大きいことに起因して受信レベルが低下している場合の検出技術については開示されていない。
【先行技術文献】
【特許文献】
【０００６】
【特許文献１】特許第４５２９５８９号公報
【発明の概要】
【発明が解決しようとする課題】
【０００７】
従来のエレベータの操作表示機器は、たとえば特許文献１に記載のように、リモコン信号を正常に受信できない場合に不具合原因を表示する技術が提案されているものの、リモコンからの距離が大きいことに起因して受信レベルが低下している場合の不具合については検出することができないので、異常時の表示を十分に達成することができないという課題があった。
【０００８】
この発明は、上記のような課題を解決するためになされたものであり、正常時の設定操作と異常時の表示を効果的に行うことのできるエレベータの操作表示機器を得ることを目的とする。
【課題を解決するための手段】
【０００９】
この発明に係るエレベータの操作表示機器は、エレベータの乗場またはかごに設置され、赤外線リモコンを使用して各種の調整および設定が行われるエレベータの操作表示機器において、赤外線リモコンからのリモコン信号を受信する赤外線受信部と、赤外線受信部からの受信信号のレベルを判定する受信レベル判定部と、赤外線受信部からの受信信号をディジタル信号に変換し、ディジタル信号が赤外線リモコンのデータフォーマットと一致した場合に、ディジタル信号を出力するリモコンフォーマット解析部と、受信レベル判定部からのレベル判定値と、リモコンフォーマット解析部からのディジタル信号と、あらかじめ内部に記憶された登録コードとから、ディジタル信号の整合性を判定して判定結果を出力する信号判定部と、エレベータ制御部からのエレベータ情報と、信号判定部からの判定結果とから表示画面を作成する表示制御部と、表示制御部で作成された表示画面を表示する表示部と、を備えたものである。
【発明の効果】
【００１０】
この発明によれば、赤外線受信部での受信レベルを検出し、受信レベルと受信信号の判定の組み合わせにより、正常時の設定操作と異常時の表示を効果的に行うことができる。
【図面の簡単な説明】
【００１１】
【図１】この発明の実施の形態１に係るエレベータの操作表示機器を示すブロック図である。
【図２】この発明の実施の形態１における通常使用状態を示す説明図である。
【図３】この発明の実施の形態１における受信可能範囲外での使用状態を示す説明図である。
【図４】この発明の実施の形態１による動作を示すフローチャートである。
【発明を実施するための形態】
【００１２】
実施の形態１．
以下、図面を参照しながら、この発明の実施の形態１について詳細に説明する。
図１はこの発明の実施の形態１に係るエレベータの操作表示機器をエレベータ制御システムと関連付けて示すブロック図である。
【００１３】
図１において、操作表示機器１は、エレベータ（図示せず）の乗場またはかごに設置されており、赤外線リモコン２からのリモコン信号２ａを使用して各種の調整および設定が行われる。
赤外線リモコン２には、リモコン駆動電力を供給する電池２０が内蔵されている。
また、操作表示機器１には、エレベータ制御部１０からのエレベータ情報１０ａが入力されている。
【００１４】
操作表示機器１は、赤外線リモコン２からのリモコン信号２ａを受信する赤外線受信部３と、赤外線受信部３からの受信信号のレベルを判定する受信レベル判定部４と、リモコンフォーマット解析部５と、受信レベル判定部４およびリモコンフォーマット解析部５の出力信号に基づきリモコン信号２ａを判定する信号判定部６と、表示画面を作成する表示制御部７と、表示制御部７で作成された表示画面を表示する表示部８と、を備えている。
【００１５】
オペレータが操作する赤外線リモコン２からのリモコン信号２ａは、エレベータの操作表示機器１に設置された赤外線受信部３で受信され、所定波長の赤外光のみが分離されて電圧信号に変換される。
【００１６】
リモコン信号２ａの受信レベルは、赤外線リモコン２から赤外線受信部３に対する受光角度や受光距離によって変化する。
受信レベル判定部４は、赤外線受信部３からの電圧信号を、ある程度の幅を有する基準電圧と比較し、基準電圧の最小値を下回った場合には、通常の受信レベルに達していないことを判定する。
【００１７】
リモコンフォーマット解析部５は、赤外線受信部３からの電圧信号を２値化してディジタル信号に変換し、ディジタル信号の周波数とヘッダ部が赤外線リモコン２のフォーマットと一致しているか否かを判定する。
もし、変換後のディジタル信号が赤外線リモコン２のデータフォーマットと一致している場合には、ヘッダ部に続くカスタムコードおよびデータコードを、ディジタル信号として出力する。一方、ディジタル信号が赤外線リモコン２のデータフォーマットと一致しない場合には、データ無を示す信号（たとえば、「０」信号）を連続して出力する。
【００１８】
信号判定部６は、受信レベル判定部４からの判定結果（レベル判定値）と、リモコンフォーマット解析部５からのカスタムコードおよびデータコード（ディジタルデータの判定結果）と、あらかじめ信号判定部６内に記憶された登録コードとから、ディジタル信号の整合性を判定し、判定結果を表示制御部７に入力する。
【００１９】
表示制御部７は、信号判定部６からの判定結果と、エレベータ制御部１０からのエレベータ情報１０ａとに基づき、表示画面を作成する。
表示制御部７は、通常は、エレベータ制御部１０からのエレベータ情報１０ａとして、エレベータの現在の運行情報（進行方向、現在の階床位置）や報知メッセージ情報などを取り込み、表示画面を作成して表示部８の表示制御を行う。
【００２０】
一方、表示制御部７は、赤外線リモコン２が操作された場合には、受信レベル判定部４、リモコンフォーマット解析部５および信号判定部６の処理結果（入力情報）の内容に応じて、以下の制御動作を行う。
【００２１】
たとえば、表示部８の画面の明るさを暗くする指令を受けた場合には、表示部８の表示を暗くする。
また、あるメッセージの表示指令を受けた場合には、あらかじめ表示制御部７内に登録されたメッセージ（受信メッセージに対応）の内容を、エレベータの現在の運行情報と合わせて表示画面に組込み、表示部８に表示させる。
【００２２】
次に、図２および図３を参照しながら、エレベータのかご３０内に設置された操作表示機器１に対して、オペレータが赤外線リモコン２を使用して操作する場合の動作について説明する。
図２はこの発明の実施の形態１における通常使用状態を示す説明図であり、図３は受信可能範囲外での使用状態を示す説明図である。
【００２３】
図２、図３において、操作表示機器１は、エレベータのかご３０内に設置されており、表示部８には、かご３０の運行情報として、進行方向（上方向矢印）および現在の階床位置（５階）が表示されている。
操作表示機器１の赤外線受信部３は、受信可能範囲Ａを有している。
【００２４】
図２のように、受信可能範囲Ａ内で、赤外線リモコン２を赤外線受信部３に対して操作した場合には、問題なく操作可能状態であり、赤外線リモコン２の操作にしたがって任意の設定が行われる。
【００２５】
一方、図３のように、受信可能範囲Ａの外側で赤外線リモコン２を赤外線受信部３に対して操作した場合は、操作できない原因を示すメッセージＭ２「リモコンを受信器の方に向け、もう少し近づけてください」が表示部８に表示される。これにより、オペレータは、表示されたメッセージＭ２にしたがって、対応することが可能になる。
【００２６】
次に、図４のフローチャートを参照しながら、この発明の実施の形態１に係るエレベータの操作表示機器による具体的な処理手順について説明する。
図４において、まず、操作表示機器１の赤外線受信部３で受光されたリモコン信号２ａ（赤外線信号）は、赤外線受信部３の内部のバンドパスフィルタを介して所定波長の赤外光のみが分離された後、電圧信号に変換されて受信レベル判定部４およびリモコンフォーマット解析部５に入力される（ステップＳ１）。
【００２７】
続いて、リモコンフォーマット解析部５は、赤外線受信部３からの電圧信号を２値化してディジタル信号に変換した後、受信信号（ディジタル信号）の周波数およびヘッダ部がリモコン信号２ａ（赤外線リモコン２）のフォーマットと一致しているか否かを判定する（ステップＳ２）。
【００２８】
ステップＳ２において、受信信号がリモコン信号２ａのフォーマットと一致していない（すなわち、ＮＯ）と判定されれば、以下の処理を何も実行せずに終了してリターンする（ステップＳ３）。
一方、ステップＳ２において、受信信号がリモコン信号２ａのフォーマットと一致している（すなわち、ＹＥＳ）と判定されれば、ヘッダ部に続くカスタムコードおよびデータコードをディジタル信号として出力する（ステップＳ４）。
【００２９】
次に、信号判定部６は、リモコンフォーマット解析部５と関連して、専用コード（カスタムコード）の判定を行うとともに、受信レベル判定部４と関連して、受信レベルの判定を行う（ステップＳ５）。
すなわち、信号判定部６は、まず、カスタムコードがエレベータ専用コードと一致している（エレベータ専用コードが受信できた）か否かを判定する（ステップＳ６）。
【００３０】
ステップＳ６において、カスタムコードがエレベータ専用コードと一致しない（すなわち、ＮＯ）と判定されれば、続いて、受信レベル判定部４の判定結果が良好（受信レベルが所望レベル以上）であることを示しているか否かを判定する（ステップＳ７）。
【００３１】
ステップＳ７において、受信レベルが良好（すなわち、ＹＥＳ）と判定されれば、カスタムコードがエレベータ専用コードではないにも関わらず、受信レベルは良好な状態なので、他機器のリモコンを誤って使用していることが考えられる。
【００３２】
したがって、信号判定部６は、エレベータ専用リモコンの使用を促すメッセージＭ１の表示信号を表示制御部７に入力する。
これにより、表示制御部７は、メッセージＭ１の表示画面を作成し、表示部８は、メッセージＭ１の内容「リモコンをご確認ください」を表示する（ステップＳ８）。
【００３３】
また、ステップＳ７において、受信レベルが良好でない（すなわち、ＮＯ）と判定されれば、カスタムコードがエレベータ専用コードではないうえ、受信レベルも良好でないので、信号判定部６からの表示信号は生成されず、何も実行されることなく終了してリターンする（ステップＳ９）。
【００３４】
一方、ステップＳ６において、カスタムコードがエレベータ専用コードと一致している（すなわち、ＹＥＳ）と判定されれば、続いて、信号判定部６は、リモコンフォーマット解析部５から入力されたデータコードの判定を行う（ステップＳ１０）。
このとき、信号判定部６には、赤外線リモコン２を用いて設定が行われる場合に指定されるコードがあらかじめ登録されており、入力されたデータコードが登録済みのコードと等しいか否かを判定する（ステップＳ１１）。
【００３５】
ステップＳ１１において、データコードが登録済みのコードと一致しない（すなわち、ＮＯ）と判定されれば、エレベータ専用コード（カスタムコード）は認識できるものの、データコードは認識できないという受信不安定状態なので、図３のように、受信可能範囲Ａの外側で赤外線リモコン２を使用していることが考えられる。
【００３６】
したがって、信号判定部６は、オペレータを良好な操作位置に誘導するメッセージＭ２の表示信号を表示制御部７に入力する。
これにより、表示制御部７は、メッセージＭ２の表示画面を作成し、表示部８は、メッセージＭ２の内容「リモコンを受信器の方に向け、もう少し近づいてください」（図３参照）を表示する（ステップＳ１２）。
【００３７】
一方、ステップＳ１１において、データコードが登録済みのコードと一致する（すなわち、ＹＥＳ）と判定されれば、続いて、受信レベル判定部４の判定結果が良好（受信レベルが所望レベル以上）であることを示しているか否かを判定する（ステップＳ１３）。
【００３８】
ステップＳ１３において、受信レベルが良好（すなわち、ＹＥＳ）と判定されれば、信号判定部６は、調整および設定の内容を示すデータコードにしたがい、赤外線リモコン２で指定された通常処理（エレベータの調整および設定）を行う（ステップＳ１４）。
【００３９】
一方、ステップＳ１３において、受信レベルが良好でない（すなわち、ＮＯ）と判定されれば、カスタムコードおよびデータコードがともに認識できているにも関わらず、受信レベルが低い状態なので、赤外線リモコン２との間の距離が離れ過ぎているか、赤外線リモコン２内の電池２０の電圧低下が考えられる。
【００４０】
したがって、信号判定部６は、オペレータに対処（電池交換など）を促すメッセージＭ３の表示信号を表示制御部７に入力する。
これにより、表示制御部７は、メッセージＭ３の表示画面を作成し、表示部８は、メッセージＭ３の内容「リモコンを受信器に近づけ、この表示が消えない場合は、リモコンの電池を交換してください」を表示する（ステップＳ１５）。
【００４１】
なお、メッセージＭ３は、上記判定結果が１回でも得られた時点で表示してもよいが、複数回検出した時点で表示するという方法を適用してもよい。
また、各メッセージＭ１〜Ｍ３の具体的表現は、単なる一例であり、同様の内容を示すものであれば、他の表現であってもよい。
【００４２】
また、図４の処理手順においては、すべて１回の処理で判定を行うようにしたが、オペレータが赤外線リモコン２を操作している間は、赤外線受信部３がリモコン信号２ａを連続して受光し続けているので、少なくとも１回のリトライ後に、各判定処理を行うようにしてもよい。
さらに、図２、図３においては、操作表示機器１をかご３０に設置した構成例を示したが、エレベータの乗場に操作表示機器１を設置してもよい。
【００４３】
以上のように、この発明の実施の形態１（図１〜図４）によれば、エレベータの乗場またはかご３０に設置され、赤外線リモコン２を使用して各種の調整および設定が行われるエレベータの操作表示機器において、赤外線リモコン２からのリモコン信号２ａを受信する赤外線受信部３と、赤外線受信部３からの受信信号のレベルを判定する受信レベル判定部４と、赤外線受信部３からの受信信号をディジタル信号に変換し、ディジタル信号が赤外線リモコンのデータフォーマットと一致した場合に、ディジタル信号を出力するリモコンフォーマット解析部５と、受信レベル判定部４からのレベル判定値と、リモコンフォーマット解析部５からのディジタル信号と、あらかじめ内部に記憶された登録コードとから、ディジタル信号の整合性を判定して判定結果を出力する信号判定部６と、エレベータ制御部１０からのエレベータ情報１０ａと、信号判定部６からの判定結果とから表示画面を作成する表示制御部７と、表示制御部７で作成された表示画面を表示する表示部８と、を備えている。
【００４４】
信号判定部６は、受信レベル判定部４からのレベル判定値およびリモコンフォーマット解析部５からのディジタル信号がともに正常であると判定された場合には、ディジタル信号に基づく正規の調整および設定を行い（ステップＳ１４）、レベル判定値およびディジタル信号がともに異常であると判定された場合には、表示制御部に対する表示信号を生成せず（ステップＳ９）、レベル判定値が正常であって、ディジタル信号が異常であると判定された場合には、赤外線リモコン２が異機種であることを示すメッセージＭ１の表示信号を生成し、レベル判定値が異常で（所望レベルに満たず）、ディジタル信号が正常であると判定された場合には、赤外線リモコン２を赤外線受信部に近付けるか、または赤外線リモコン２内の電池２０の交換を促すためのメッセージＭ３の表示信号を生成する。
【００４５】
また、信号判定部６は、ディジタル信号内のカスタムコードおよびデータコードを、あらかじめ登録された正常コードと比較して、正常コードと一致するか否かを判定し、カスタムコードが正常で、データコードが異常と判定された場合には、赤外線リモコン２を赤外線受信部３に近付けるためのメッセージＭ２の表示信号を生成する。
【００４６】
このように、赤外線受信部３での受信レベルを検出し、受信レベルおよび受信信号（ディジタル信号）の各判定の組み合わせにより、正常時の調整および設定操作と、異常時の表示とを効果的に行うことができる。
また、受信レベル判定部４を備えたことにより、リモコン信号２ａのデータが正常に認識できない場合においても、その原因を明確に表示することができる。
【００４７】
これにより、たとえば、赤外線リモコン２から赤外線受信部３までの距離が離れ過ぎて、受信レベルが低下している場合であっても、リモコン操作できない原因の検出が可能となり、オペレータが操作する赤外線リモコン２を、赤外線受信部３に対して良好に操作可能な位置（受信可能範囲Ａ）まで誘導することができる。
【符号の説明】
【００４８】
１  操作表示機器、２  赤外線リモコン、２ａ  リモコン信号、３  赤外線受信部、４  受信レベル判定部、５  リモコンフォーマット解析部、６  信号判定部、７  表示制御部、８  表示部、１０  エレベータ制御部、１０ａ  エレベータ情報、２０  電池、Ａ  受信可能範囲、Ｍ１、Ｍ２、Ｍ３  メッセージ。
【図１】
0005669717.tif 000002
【図２】
0005669717.tif 000003
【図３】
0005669717.tif 000004
【図４】
0005669717.tif 000005